(57)【要約】【課題】  リード線の配線方向を縦方向および横方向の両方向に対して自由に対応可能な端子台を提供する。【解決手段】  長手方向に階段状に高さが変化する階段部を有する絶縁台と、前記階段部の各段に設けたリード線接続端子と、前記絶縁台と嵌まり合い、前記リード線接続端子をカバーする端子カバーとを備える端子台であって、前記端子カバーは、一面が開口した略直方体形状であって、一対の短手壁面と、一対の長手壁面を備え、前記一対の短手壁面は、リード線の配線方向が縦方向の場合に該リード線を通す開口部を備え、前記一対の長手壁面は、リード線の配線方向が縦方向の場合に、前記リード線接続端子をカバーする第一の壁面と、リード線の配線方向が横方向の場合に、該リード線を通す間隙部を有する第二の壁面と、を備え、前記端子カバーは、前記第一の壁面と前記第二の壁面とを入れ替えて前記絶縁台に取り付け可能である。【選択図】図１
2020047503.tif 000002
【特許請求の範囲】
【請求項１】
長手方向に階段状に高さが変化する階段部を有する絶縁台と、前記階段部の各段に設けたリード線接続端子と、前記絶縁台と嵌まり合い、前記リード線接続端子をカバーする端子カバーとを備える端子台であって、
前記端子カバーは、一面が開口した略直方体形状であって、一対の短手壁面と、一対の長手壁面を備え、
前記一対の短手壁面は、リード線の配線方向が縦方向の場合に該リード線を通す開口部を備え、
前記一対の長手壁面は、
リード線の配線方向が縦方向の場合に、前記リード線接続端子をカバーする第一の壁面と、
リード線の配線方向が横方向の場合に、該リード線を通す間隙部を有する第二の壁面と、
を備え、
前記端子カバーは、前記第一の壁面と前記第二の壁面とを入れ替えて前記絶縁台に取り付け可能である端子台。
【請求項２】
請求項１に記載の端子台において、
前記絶縁台の階段部は、長手方向の中央部が高く、中央部から両側に向かうにつれて低くなる階段状であることを特徴とする端子台。
【請求項３】
請求項１に記載の端子台において、
前記絶縁台は、配電機器取り付け側に、前記第二の壁面が挿入される収納溝を備えることを特徴とする端子台。
【請求項４】
請求項１に記載の端子台において、
前記端子カバーは内側にスナップフィットを備え、
前記絶縁台は、スナップフィット係合部を備え、
前記端子カバーを前記絶縁台に取り付けたときに、前記スナップフィットが前記スナップフィット係合部に係合して、前記端子カバーを固定することを特徴とする端子台。
【請求項５】
請求項１に記載の端子台において、
前記端子カバーは、内側に保持板を備え、
前記端子カバーを前記絶縁台に取り付けたときに、前記保持板が前記階段部の保持面と嵌まり合うことを特徴とする端子台。
【請求項６】
請求項５に記載の端子台において、
リード線の配線方向が横方向となるように前記端子カバーを取り付けたとき、
前記保持板が、リード線の縦方向の配線を遮って、縦方向の配線を禁止することを特徴とする端子台。
【請求項７】
請求項１に記載の端子台において、
前記階段部は、前後に位置のずれた段部を備え、
前記リード線接続端子は、前後に互い違いに配置されていることを特徴とする端子台。
【請求項８】
請求項１に記載の端子台において、
前記端子カバーは、リード線の配線方向が縦方向と横方向の場合の、端子カバーの取り付け表示を備えることを特徴とする端子台。
【請求項９】
請求項１〜８の何れか１項に記載の端子台を取り付けた配電機器。
【請求項１０】
長手方向に階段状に高さが変化する階段部を有する絶縁台と嵌まり合い、前記階段部の各段に設けたリード線接続端子をカバーする端子カバーであって、
前記端子カバーは、一面が開口した略直方体形状であって、一対の短手壁面と、一対の長手壁面を備え、
前記一対の短手壁面は、リード線の配線方向が縦方向の場合に該リード線を通す開口部を備え、
前記一対の長手壁面は、
リード線の配線方向が縦方向の場合に、前記リード線接続端子をカバーする第一の壁面と、
リード線の配線方向が横方向の場合に、該リード線を通す間隙部を有する第二の壁面と、
を備え、
前記端子カバーは、前記第一の壁面と前記第二の壁面とを入れ替えて前記絶縁台に取り付け可能であることを特徴とする端子カバー。
【発明の詳細な説明】
【技術分野】
【０００１】
本発明は、端子台の端子カバー、端子台およびそれを備えた配電機器に関する。
【背景技術】
【０００２】
遮断器等の配電機器において、端子台を取り付け、配電機器の内部装置からの内部配線を接続し、端子台を介して外部リード線に接続することが行われている。特許文献１には、配電機器である遮断器の側面に端子台を取り付け、遮断器を正面から見た状態において、端子台からリード線を縦方向に配線する構造が記載されている。特許文献１には、「回路遮断器の外側壁に取付部材を介して取付けられ、回路遮断器内部に配線される内部リード線と回路遮断器外部に配線される外部リード線とを接続する端子部と、この端子部と回路遮断器の外側壁との間を絶縁する絶縁板と、この絶縁板に連なり回路遮断器の外側壁と平行に延びた係止リブと、この係止リブと絶縁板との間に形成された嵌込み溝とを備え、上記取付部材は、上記嵌め込み溝に挿脱自在に嵌め込まれる嵌込み部と、この嵌込み部の両端部に連なり回路遮断器の上下面に着脱自在に取付けられる一対の取付け部とを備えたことを特徴とする回路遮断器の補助端子台。」（請求項１参照）と記載されている。
【先行技術文献】
【特許文献】
【０００３】
【特許文献１】特開平５−２７４９９２号公報
【発明の概要】
【発明が解決しようとする課題】
【０００４】
特許文献１には、遮断器の側面に端子台を取り付け、遮断器を正面から見た状態において、端子台からリード線を縦方向に配線する構造が記載されている。しかし、端子台からのリード線の配線方向は縦方向のみならず、横方向の配線も要求されている。リード線の配線方向が縦方向専用または横方向専用の端子台はそれぞれ既存しているが、リード線の配線方向が縦方向および横方向の両方に対応可能な端子台は存在しない。
【０００５】
本発明の目的は、端子台からの配線方向を縦方向および横方向の両方に対応可能とし、配線方向の両方に対応可能な端子カバーと、前記端子カバーを備えた端子台を提供することにある
【課題を解決するための手段】
【０００６】
上記課題を解決するための、本発明の代表的な「端子台」の一例を挙げると、
長手方向に階段状に高さが変化する階段部を有する絶縁台と、前記階段部の各段に設けたリード線接続端子と、前記絶縁台と嵌まり合い、前記リード線接続端子をカバーする端子カバーとを備える端子台であって、前記端子カバーは、一面が開口した略直方体形状であって、一対の短手壁面と、一対の長手壁面を備え、前記一対の短手壁面は、リード線の配線方向が縦方向の場合に該リード線を通す開口部を備え、前記一対の長手壁面は、リード線の配線方向が縦方向の場合に、前記リード線接続端子をカバーする第一の壁面と、リード線の配線方向が横方向の場合に、該リード線を通す間隙部を有する第二の壁面と、を備え、前記端子カバーは、前記第一の壁面と前記第二の壁面とを入れ替えて前記絶縁台に取り付け可能である。
【０００７】
また、本発明の代表的な「端子カバー」の一例を挙げるならば、
長手方向に階段状に高さが変化する階段部を有する絶縁台と嵌まり合い、前記階段部の各段に設けたリード線接続端子をカバーする端子カバーであって、前記端子カバーは、一面が開口した略直方体形状であって、一対の短手壁面と、一対の長手壁面を備え、前記一対の短手壁面は、リード線の配線方向が縦方向の場合に該リード線を通す開口部を備え、前記一対の長手壁面は、リード線の配線方向が縦方向の場合に、前記リード線接続端子をカバーする第一の壁面と、リード線の配線方向が横方向の場合に、該リード線を通す間隙部を有する第二の壁面と、を備え、前記端子カバーは、前記第一の壁面と前記第二の壁面とを入れ替えて前記絶縁台に取り付け可能である。
【発明の効果】
【０００８】
本発明によれば、単一でリード線の配線方向が縦方向および横方向の両方に対応可能な端子カバーと、前記端子カバーを備えた端子台を提供することができる。
【０００９】
上記した以外の課題、構成及び効果は、以下の実施形態の説明により明らかにされる。
【図面の簡単な説明】
【００１０】
【図１】本発明の実施例の端子台を示した斜視図である。
【図２】図１の端子カバーを一方向から見た斜視図である。
【図３】図１の端子カバーを反対方向から見た斜視図である。
【図４】図１の端子カバーの内部を示す断面斜視図である。
【図５】図１の絶縁台の詳細を示す断面斜視図である。
【図６】遮断器に端子台を取り付け、端子台から配線するリード線が縦方向配線の状態の斜視図である。
【図７】遮断器に端子台を取り付け、端子台から配線するリード線が横方向配線の状態の斜視図である。
【図８】端子カバーと絶縁台との取付関係を示す斜視図である。
【図９】図１の絶縁台を正面（Ｚ方向）から見た図である。
【図１０】図１の端子カバーを正面（Ｚ方向）から見た図である。
【発明を実施するための形態】
【００１１】
以下、本発明の実施例を図面を用いて説明する。
【実施例】
【００１２】
図１は、本発明の実施例の端子台の構成を示した斜視図である。図１において、端子台１は、長手方向の中央部が高く、中央部から両側に向かうにつれて階段状に低くなる階段部５ａを有する絶縁台５と、絶縁台５と嵌まり合い、長手壁面３と短手壁面４の長さが異なる、一面が開口した略直方体形状の端子カバー２と、絶縁台５の底面を絶縁するための裏蓋６から構成されている。絶縁台５の階段部５ａの各段には、リード線を配線するための端子板７と、リード線を締め付けるための端子ねじ８が取り付けられ、リード線接続端子を構成している。端子台１は、遮断器に取り付けることで、付属装置の補助端子台として使用可能である。この場合、端子板７には付属装置の内部配線が接続される。
【００１３】
図２に、図１の端子カバーを一方向から見た斜視図を、図３に、図１の端子カバーを反対方向から見た斜視図を示す。図２と図３とは、端子カバー２の向きを１８０°回転させた図である。端子カバー２は、一面（図の下面)が開口した略直方体形状であり、一対の長手壁面３と、一対の短手壁面４を備えている。図２に示すように、長手壁面の一つは、リード線の配線方向が縦方向の場合に、リード線接続端子をカバーする第一の壁面３ａを備えている。また、図３に示すように、長手壁面の他の一つは、リード線の配線方向が横方向の場合に、リード線を通す間隙部１５を有する第二の壁面３ｂを備えている。また、一対の短手壁面４は、リード線の配線方向が縦方向の場合にリード線を通す開口部４ｃを備えている。
【００１４】
図４は、端子カバー２の内部を示した断面斜視図であり、図５は、絶縁台５の詳細構造を示した断面斜視図である。端子カバー２の絶縁台５への取り付けは、端子カバー２の長手壁面３を、絶縁台５の絶縁板９の端子カバー挿入面９ａに沿って、絶縁台５に対して垂直に挿入することで可能となる。端子カバー２と絶縁台５との固定は、端子カバー２の内側に、長手壁面３と、短手壁面４との中央位置から対称位置関係に設けたスナップフィット１６が、図１に示す、絶縁台５のスナップフィット挿入部１０に入り、図５に示したスナップフィット係合部１８に引っ掛かることにより可能となる。スナップフィット挿入部１０に入らない、もう一方の対称位置にあるスナップフィット１６は、係合部が存在しないスナップフィット収納部１１に入る構造となっている。
【００１５】
また、図４に示すように、端子カバー２には保持板１７が２枚設けられ、保持板１７が、図１に示される絶縁台５の保持面１２を保持することで端子カバー２の保持性を向上している。さらに、保持板１７は、端子カバーを取り付けた際に、最も高いリード線接続端子の側方に位置するように設けられている。そのため、リード線配線方向を横方向とする場合、保持板１７は縦方向への配線を阻害し、端子カバー２の取り付けを不可能とすることにより、縦方向の誤配線を防止する構造となっている。なお、保持板１７は端子カバー２の短手方向の略半分に設けられているので、端子カバー２を反対方向に取り付けた縦方向配線の場合には、配線を阻害することはない。
【００１６】
図６に遮断器に端子台を取り付け、端子台から配線するリード線が縦方向配線の状態の斜視図を、また、図７に遮断器に端子台を取り付け、端子台から配線するリード線が横方向配線の状態の斜視図を示す。遮断器は、通常、壁面に取り付けられる。すなわち、図のＸ−Ｙ平面からなる壁面に取り付けられるので、Ｙ方向が縦方向、Ｘ方向が横方向、Ｚ方向が正面方向となる。図６において、遮断器１４の側面には端子台１が取り付けられ、端子カバー２は、図２に示すような、第一の壁面３ａがリード線接続端子を覆うように取り付けられている。この場合は、端子カバーの短手壁面の開口部４ｃを通して、リード線１３の縦方向の配線が可能である。他方、図７において、端子カバー２は、図３に示すような、リード線を通す間隙部１５を有する第二の壁面３ｂが遮断器１４の反対側となるように取り付けられている。そのため、リード線１３の横方向の配線が可能である。
【００１７】
図６のリード線１３の配線方向が縦方向の状態、および、図７のリード線１３の配線方向が横方向の状態の切り替えは、端子カバー２を引抜き、長手壁面３の位置関係を反転させ、絶縁台５に再度挿入することで変更することができる。
【００１８】
端子カバー２と絶縁台５との取付関係について、図８を用いて説明する。図８は、リード線１３の配線方向が横方向の状態における、絶縁台５と、端子カバー２との関係を示した詳細図である。図６のように、リード線１３の配線方向が縦方向の場合、端子カバー２の長手壁面３は、図３に示すような端子カバー２と絶縁台５との間隙部１５の面全体を覆っているため、リード線１３の配線方向を横方向にはできない構造となっている。一方で、図７のように、リード線１３の配線方向が横方向の場合、図６とは逆に、図３に示すような端子カバー２と絶縁台５とに間隙部１５が生じ、その間隙部１５よりリード線１３を配線できる構造となっている。
【００１９】
さらに、図７のようにリード線１３の配線方向が横方向の場合、端子カバー２の長手壁面３を収納するため、絶縁台５の端子カバー挿入面９ａの下部に収納溝１９を設け、収納溝１９に端子カバー２の長手壁面の第一の壁面３ａが収納できる構造となっている。
【００２０】
図９に、絶縁台５の階段部５ａを正面（Ｚ方向）から見た図を示す。図１および図９に見られるように、端子板７および端子ねじ８からなるリード線接続端子は、Ｘ方向に前後に２列に、そして交互に配置されている。すなわち、階段部５ａは２列の段部を備え、リード線接続端子は２列の段部に前後に互い違いに配置されている。そのため、段部に取り付けたリード線接続端子の位置が離れているので、例えばリード線を縦方向配線した場合に、リード線の重なりを防止でき、端子ねじ８の配線後の増締めが可能となる。
【００２１】
図１０に、正面（Ｚ方向）から見た図１の端子カバーの表面を示す。端子カバー２には、反転可能表示２１とともに、縦方向および横方向の取り付け表示２０が設けられている。そのため、リード線の配線方向に応じて端子カバーの取り付けが容易になる。
【００２２】
本実施例によれば、端子カバーの長手壁面は、リード線の配線方向が縦方向の場合にリード線接続端子をカバーする第一の壁面と、リード線の配線方向が横方向の場合にリード線を通す間隙部を有する第二の壁面とを備え、端子カバーは、第一の壁面と第二の壁面とを入れ替えて絶縁台に取り付け可能に構成したので、リード線の配線方向が縦方向と横方向の両方に対応可能な端子カバーと、その端子カバーを備えた端子台を提供することができる。
【００２３】
なお、本発明の配電機器には、例えば配線用遮断器、漏電遮断器、電磁接触器、電磁開閉器などが含まれる。
【００２４】
また、本発明は上記の実施例に限定されるものではない。例えば、リード線接続端子は実施例では端子板と端子ねじから構成されているが、ばねによりリード線を挟むものなど、リード線を接続できるものであれば良い。絶縁台の階段部は、長手方向の中央部が高く、中央部から両側に向かうにつれて階段状に低くなっているが、長手方向の片側が高く、他側に向かうにつれて階段状に低くなっているものでも良い。絶縁台の階段部は、２列の段部を備えているが、１列の段部でも、或いは、リード線接続端子が多い場合は３列以上の段部でも良い。さらに、遮断器側の絶縁板は省略しても良い。
【符号の説明】
【００２５】
１：端子台
２：端子カバー
３：長手壁面
３ａ：第一の壁面
３ｂ：第二の壁面
４：短手壁面
４ｃ：短手壁面の開口部
５：絶縁台
５ａ：絶縁台の階段部
６：裏蓋
７：端子板
８：端子ねじ
９：絶縁板
９ａ：端子カバー挿入面
１０：スナップフィット挿入部
１１：スナップフィット収納部
１２：保持面
１３：リード線
１４：遮断器
１５：長手壁面の間隙部
１６：スナップフィット
１７：保持板
１８：スナップフィット係合部
１９：収納溝
２０：端子カバーの取り付け表示
２１：端子カバーの反転可能表示
【図１】
2020047503.tif 000003
【図２】
2020047503.tif 000004
【図３】
2020047503.tif 000005
【図４】
2020047503.tif 000006
【図５】
2020047503.tif 000007
【図６】
2020047503.tif 000008
【図７】
2020047503.tif 000009
【図８】
2020047503.tif 000010
【図９】
2020047503.tif 000011
【図１０】
2020047503.tif 000012